(57)【特許請求の範囲】
【請求項１】
照明器具を緩衝用の基台で抱持し、この基台に把手を設ける照明器具の包装法であって、内部をくり抜いた台板の外周に折返片を設け、この台板の内部からの切り込みによって内周に巻込部材を設けることで基台を形成し、この基台に照明器具を載せ、折返片を折り返すことで照明器具のフランジ部を押さえ、巻込部材を折返片とは逆側に巻き込むことで緩衝体を形成する照明器具の包装法。
【請求項２】
前記基台と共に照明器具をシュリンク包装する請求項１に記載の照明器具の包装法。
【請求項３】
請求項１又は２に記載の包装物を外箱に収納する照明器具の包装法。
【請求項４】
前記外箱の角部を折り込んだ請求項３に記載の照明器具の包装法。
【発明の詳細な説明】
【０００１】
【発明の属する技術分野】
この発明は、シーリングライト等の照明器具を保護する包装技術に関するものである。
【０００２】
【従来の技術】
シーリングライト等、円形や多角形の照明器具を包装する際には、図８に示すように、段ボールシートから成る基台５１の周縁を折り曲げて照明器具Ｌを抱持し、照明器具Ｌの外周を帯状段ボールの胴枠５２で包囲した状態で、これらを方形の外箱５３に収納し、照明器具Ｌを衝撃や積上時の荷重から保護している。
【０００３】
【発明が解決しようとする課題】
しかしながら、上記のように包装すると、照明器具を必ず外箱に収納した状態で持ち運ばなければならず、開梱後に外箱を処分しなければならない。
【０００４】
そこで、この発明は、緩衝性を確保しつつ、資源の無駄を省き、効率的に照明器具を包装することを課題とする。
【０００５】
【課題を解決するための手段】
上記課題を解決するため、この発明は、照明器具を緩衝用の基台で抱持し、この基台に把手を設ける照明器具の包装法であって、内部をくり抜いた台板の外周に折返片を設け、この台板の内部からの切り込みによって内周に巻込部材を設けることで基台を形成し、この基台に照明器具を載せ、折返片を折り返すことで照明器具のフランジ部を押さえ、巻込部材を折返片とは逆側に巻き込むことで緩衝体を形成するようにした。
【０００６】
このように包装すると、照明器具を外箱に収納することなく販売店から自宅へ持ち帰ることができるので、家庭で外箱を処分する必要がない。
【０００７】
また、前記基台と共に照明器具をシュリンク包装すると、照明器具と基台とが強固に固定され、照明器具の表面も保護される。
【０００８】
また、照明器具を工場から販売店に配送する際には、上記のように包装して外箱に収納すると、流通過程での損傷が防止され、外箱は販売店から工場へ戻して再利用できる。
【０００９】
さらに、外箱の角部を折り込むと、照明器具が平積み時の荷重や衝撃から確実に保護される。
【００１０】
【発明の実施の形態】
以下、図１及び図２に示すように、円形の照明器具Ｌを基台１と共にシュリンク包装し、さらに外箱２に収納する包装について説明する。
【００１１】
図３は、この包装に使用する基台１の段ボールブランクを示す。このブランクでは、八角形の台板１１の内部がくり抜かれ、その外周に折返片１２が、内周に巻込部材１３がそれぞれ４枚連設されている。また、台板１１には把手１４と天井への取付部品が嵌められる保持穴１５とが設けられている。
【００１２】
このブランクにより照明器具Ｌを抱持するには、図４に示すように、台板１１に照明器具Ｌを載せ、折返片１２を折り返して、図６に示すように、折返片１２の先端部で照明器具Ｌのフランジ部を押さえる。これにより、照明器具Ｌは台板１１に対して位置決めされる。
【００１３】
そして、図５及び図６に示すように、巻込部材１３を巻き込んで台板１１の裏面に緩衝体を形成し、基台１と照明器具Ｌとをシュリンクフィルム１６で包み込んで一体化させる。このシュリンクフィルム１６には、図１に示すように、把手１４に対応する穴を設けておく。
【００１４】
このようにシュリンク包装すると、そのまま店頭で展示でき、購入者が希望すれば、把手１４を把持して、照明器具Ｌを外箱に収納することなく販売店から自宅へ持ち帰ることができるので、家庭で外箱を処分する必要がなくなる。
【００１５】
また、照明器具Ｌを工場から販売店に配送する際や、販売店での購入者が厳重な包装を希望する場合には、上記のようにシュリンク包装した状態で、照明器具Ｌを外箱２に収納する。
【００１６】
この外箱２は、図７に示す段ボールブランクから成り、図１に示すように、八角形の平面板２１を対向させ、その両側縁を側板２２で、角縁を角板２３及び折込片２４で繋ぎ、角板２３の端縁に折曲片２５を、平面板２１の両端縁に蓋板２６をそれぞれ連設したものである。
【００１７】
そして、このような外箱２に、上記のようにシュリンク包装した照明器具Ｌを収納し、図２に示すように、折込片２４を折り込み、折曲片２５を内側へ折り曲げて蓋板２６を閉止すると、対向する平面板２１の間隔が維持されるので、照明器具Ｌが平積み時の荷重や衝撃から確実に保護される。
【００１８】
なお、外箱２を使用せず、シュリンク包装の状態で購入者が照明器具Ｌを持ち帰った場合には、販売店に外箱２が残るので、この外箱２を販売店から工場へ戻して再使用することができる。
【００１９】
ところで、上記実施形態では、照明器具Ｌと基台１とをシュリンク包装して一体化する例を示したが、これらをシュリンク包装せず、プラスチックビス等の止具を使って固定してもよい。
【００２０】
【発明の効果】
以上のように、この発明では、照明器具を緩衝用の基台で抱持し、この基台に把手を設けたので、照明器具を外箱に収納することなく販売店から自宅へ持ち帰ることができ、家庭で外箱を解体したり、回収に出したりする必要がなくなる。
【００２１】
また、前記基台と共に照明器具をシュリンク包装すると、照明器具と基台とが強固に固定され、照明器具の表面も保護される。
【００２２】
また、照明器具を工場から販売店に配送する際には、上記のように包装して外箱に収納すると、流通過程での損傷が防止され、外箱は販売店から工場へ戻して再利用できるので、包装材料の消費量を抑制することができる。
【００２３】
さらに、外箱の角部を折り込むと、照明器具が平積み時の荷重や衝撃から確実に保護される。
【図面の簡単な説明】
【図１】この発明のシュリンク包装物を外箱に収納する状態を示す斜視図
【図２】同上の外箱への収納状態を示す斜視図
【図３】同上の基台のブランクを示す図
【図４】同上の基台の使用状態の表側斜視図
【図５】同上の基台の使用状態の裏側斜視図
【図６】同上のシュリンク包装物の一部拡大断面図
【図７】同上の外箱のブランクを示す図
【図８】従来の円形照明器具の包装例を示す斜視図
【符号の説明】
Ｌ  照明器具
１  基台
２  外箱
１１  台板
１２  折返片
１３  巻込部材
１４  把手
１６  シュリンクフィルム
２１  平面板
２２  側板
２３  角板
２４  折込片
２５  折曲片
２６  蓋板
【図１】
0004720035.tif 000002
【図２】
0004720035.tif 000003
【図３】
0004720035.tif 000004
【図４】
0004720035.tif 000005
【図５】
0004720035.tif 000006
【図６】
0004720035.tif 000007
【図７】
0004720035.tif 000008
【図８】
0004720035.tif 000009